【事件の表示】
　特許第２６９７７９２号「歩行型苗移植機」の特許に対する特許異議の申立てについて、次のとおり決定する。
【結論】
　訂正を認める。
　特許第２６９７７９２号の特許を維持する。
【理由】
１．手続の経緯
　本件特許第２６９７７９２号は、昭和６２年１２月１７日に出願された特願昭６２−３２０２４７号に係り、平成９年９月１９日に設定登録がなされ、その後、特許異議の申立てが、ヤンマー農機株式会社（以下、申立人という。）よりなされ、取消理由が通知され、その指定期間内に訂正請求がなされ、さらに、訂正拒絶理由が通知されたところ、その指定期間内に訂正拒絶理由に対する手続補正書が提出されたものである。
２．訂正の適否についての判断
（２−１）訂正請求に対する補正の適否について
　特許権者は、訂正明細書を次のように補正しようとするものである。
▲１▼【特許請求の範囲】「．．．
該覆土装置の覆土作用部から後方に前記空間を設けた
「．．．
後輪車軸位置により上方に位置した前記覆土装置の覆土作用部から水平方向後方に前記空間が形成され該空間に機体構成部材が配置されない構成とした
▲２▼〔問題点を解決するための手段〕「．．．
該覆土装置の覆土作用部から後方に前記空間を設けた
「．．．
後輪車軸位置より上方に位置した前記覆土装置の覆土作用部から水平方向後方に前記空間が形成され該空間に機体構成部が配置されない構成とした
▲３▼〔発明の作用及び効果〕「．．．
該覆土装置の覆土作用部から後方に前記空間を設けた
「．．．
覆土装置の覆土作用部を前記植付位置の後方近傍位置に設け、後輪車軸位置より上方に位置した前記覆土装置の覆土作用部から水平方向後方に前記空間が形成され該空間に機体構成部材が配置されない構成とした
機体を後輪車軸回りに回動
く、また、ハンドルを押し下げすぎて地面に機体後部が接触しそうになってもハンドル支持フレームが下位で苗載台が上位となるから、苗載台が地面に接触するおそれもない。
後輪車軸位置より上方に位置した前記覆土装置の覆土作用部から水平方向後方に前記空間が形成され該空間に機体構成部が配置されない構成とし
、しかも、ハンドル押し下げ時の機体回動中心より高い位置から覆土装置の覆土作用部が下降するようにもできるから、
り、また、覆土装置の覆土作用部の水平方向後方には何も無いから、前記のとおり機体後部が地面に接触するおそれがない
　上記補正▲１▼は特許請求の範囲の減縮であり、▲２▼、▲３▼は補正▲１▼に伴う不明りょうな記載の釈明であるから、訂正請求書の要旨を変更するものではなく、特許法第１２０条の４第３項において準用する同法第１３１条第２項の規定に適合する。
（２−２）訂正の内容
　本件訂正の趣旨は、本件特許の明細書を手続補正書により補正された訂正請求書に添付した訂正明細書のとおり訂正することを求めるにあり、その訂正の要旨は、次のように訂正しようとするものである。
▲１▼【特許請求の範囲】を、
「１．左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部材が配置されない構成とした
▲２▼〔問題点を解決するための手段〕を、
「この発明は、上記問題点を解決するために、左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部材が配置されない構成とした
▲３▼〔発明の作用及び効果〕を、
「この発明の歩行型苗移植機は、左右一対の前輪と左右一対の後輪とを備え、後輪より後方にハンドルを配設して、２輪式のものに比べて操縦者がハンドルを所定の高さに正確に保持しなくても苗植付深さが安定するものでありながら、ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側
及び前記後方に斜上するハンドル支持フレームの
、覆土装置の覆土作用部を前記植付位置の後方近傍位置に設け、後輪車軸位置より上方に位置した前記覆土装置の覆土作用部から水平方向後方に前記空間が形成され該空間に機体構成部材が配置されない構成とした
機体を後輪車軸回りに回動
く、また、ハンドルを押し下げすぎて地面に機体後部が接触しそうになってもハンドル支持フレームが下位で苗載台が上位となるから、苗載台が地面に接触するおそれもない。
後輪車軸位置より上方に位置した前記覆土装置の覆土作用部から水平方向後方に前記空間が形成され該空間に機体構成部材が配置されない構成とし
、しかも、ハンドル押し下げ時の機体回動中心より高い位置から覆土装置の覆土作用部が下降するようにもできるから、
り、また、覆土装置の覆土作用部の水平方向後方には何も無いから、前記のとおり機体後部が地面に接触するおそれがない
　従って、この発明の歩行型苗移植機は、苗植付走行時は、４輪接地状態で苗植付深さが安定し、旋回時は、後輪２輪接地状態で、
苗載台などの
（２−３）訂正の目的の適否、新規事項の有無及び拡張、変更の存否
　本件の特許請求の範囲を上記▲１▼の構成とすることは、本件特許明細書第４頁第２〜１３行（本件特許公報の第４欄第３４〜４９行）の記載、第１図、及び、第７図の記載に基づくもので、願書に添付した明細書又は図面に記載された事項の範囲内において特許請求の範囲を減縮することに該当する。
　発明の詳細な説明の欄を上記▲２▼、▲３▼のように訂正することは、願書に添付した明細書又は図面に記載された事項の範囲内において、訂正後の特許請求の範囲の記載と発明の詳細な説明の記載との整合を図る、不明りょうな記載の釈明に該当する。
　また、本件訂正において、特許請求の範囲の記載及び発明の詳細な説明の欄の記載を前記のように訂正することは、実質上、特許請求の範囲を拡張し、又は、変更するものとも認められない。
（２−４）独立特許要件
　訂正明細書の請求項１に係る発明（以下、訂正明細書の発明という。）は、平成１１年１１月２日付け手続補正書（訂正請求書）に添付の明細書の特許請求の範囲に記載された事項により特定されるとおりのものであり、上記「（２−２）訂正の内容」の「▲１▼」の項に記載したとおりである。
　そして、本件特許は、下記「（４−３）対比・判断」に記載したとおり、特許法第２９条の２第１項又は第２９条第２項の何れの規定にも違反してなされたということはできない。
（２−５）むすび
　以上のとおりであるから、本件訂正請求は、平成６年法律第１１６号附則第６条第１項の規定によりなお従前の例によるとされる、特許法１２０条の４第２項、同条第３項の規定において準用する第１２６条第２〜４項の規定に適合するので、当該訂正は認められる。
３．本件発明
　上記訂正が認められる結果、訂正明細書の発明（以下、本件発明という。）は、上記「（２−２）訂正の内容」の「▲１▼」の項に記載したとおりのものである。
４．特許異議の申立てについて
（４−１）申立の概要
　特許異議の申立ての概要は、以下のとおりである。
（２９条の２）
　本件発明は、その出願の日前の出願であって、その出願後に出願公開された出願の願書に最初に添付した明細書又は図面（甲第１号証）に記載された発明と同一であると認められ、しかも、本件発明の発明者が甲第１号証に記載された発明の発明者と同一であるとも、この出願の時において、その出願人が甲第１号証の出願の出願人と同一であるとも認められないので、本件特許は特許法第２９条の２第１項の規定に違反してなされたものである。
（２９条第２項）
　本件発明は甲第２号証（１）〜甲第４号証記載の発明に基づいて当業者が容易に発明をすることができたものであるから、本件特許は特許法第２９条第２項の規定に違反してなされたものである。
　　　　　　　　　　記
甲第１号証：特願昭６２−３１４８４４号（特開平１−１５７３０５号）の願書に最初に添付した明細書又は図面
甲第２号証（１）：特開昭５８−１８５３０９号公報
甲第２号証（２）：特開昭５９−３９２０７号公報
甲第３号証：特開昭５９−３１６０７号公報
甲第４号証：特開昭５９−９１８０９号公報
（４−２）甲号各証の記載内容
　甲第１号証には、
「左右一対の前輪（ＥＦ）と左右一対の後輪（ＥＲ）とを備え、後輪より後方にハンドル（３）を配設した歩行型苗移植機において、前記ハンドルを側面視で後輪側から後方に斜上するハンドル支持フレーム（ハンドル支柱２）の上端に取り付け、苗植付位置を左右後輪間に位置するよう設け、苗載台（苗供給機構Ｐ）を側面視で後輪車軸（車軸１３）位置とハンドル把持部を結ぶ後方に斜上する線の前側に且つ前記後方に斜上するハンドル支持フレームの前側に位置するよう設け、側面視で後輪の後方でハンドル及び前記後方に斜上するハンドル支持フレームの下方に空間を形成し、覆土装置（覆土輪７０，７１，７２）の覆土作用部を前記植付位置の後方近傍位置に設け、該覆土装置の覆土作用部から後方に前記空間を設け、該空間にサイドローラ３７、バッテリ５を設けた歩行型苗移植機。」が記載されている。
　甲第２号証（１）の第１図には、ハンドル４６が記載され、該ハンドルはハンドル４６から下方に湾曲した部材により機体１に支持されおり、該部材がハンドル支持フレームであることは明らかであるから、甲第２号証（１）には、
「左右一対の前輪（２４）と左右一対の後輪（１１）とを備え、後輪より後方にハンドル（４６）を配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸（１２）位置とハンドル把持部を結ぶ後方に斜上する線の前側に且つ前記後方に斜上するハンドル支持フレームの前側に位置するよう設け、側面視で後輪の後方でハンドル及び前記後方に斜上するハンドル支持フレームの下方に空間を形成した歩行型苗移植機。」が記載されている。
　甲第２号証（２）の第１図及び第２図記載の「歩行操縦用ハンドル５」がハンドル支持フレームを兼ねていることから、甲第２号証（２）には、
「左右一対の前輪（３）と左右一対の後輪（４）とを備え、後輪より後方にハンドルを配設した歩行型苗移植機において、前記ハンドルを側面視で後輪の上方にハンドル支持フレームの後端に取り付け、苗植付位置を左右後輪間に位置するよう設け、苗載台を側面視で後輪車軸位置とハンドル把持部を結ぶ後方に斜上する線の前側に位置するよう設け、側面視で後輪の後方でハンドル及び前記ハンドル支持フレームの下方に空間を形成した歩行型苗移植機。」が記載されている。
　上記甲第３号証には、
「覆土装置の覆土作用部（覆土輪１１）を後輪車軸位置の後方に設けた歩行型苗移植機。」が記載されている。
　上記甲第４号証には、
「覆土装置の覆土作用部（覆土用鎮圧輪４１）を後輪車軸位置の後方下方に設けた歩行型苗移植機。」
が記載されている。
（４−３）対比・判断
（特許法第２９条の２について）
　本件発明と、その出願の日前の出願であってその出願後に出願公開された出願の願書に最初に添付した明細書又は図面に記載された発明（甲第１号証記載の発明。以下、先願発明という。）とを対比すると、側面視で後輪の後方でハンドル及び前記後方に斜上するハンドル支持フレームの下方に空間を形成するの当たり、本件発明が、少なくとも、（ａ）「後輪車軸位置より上方に位置した前記覆土装置の覆土作用部から水平方向後方に前記空間が形成され」、（ｂ）「該空間に機体構成部材が配置されない構成」としたのに対し、先願発明は、（ａ）’「後輪車軸位置より下方に覆土装置の覆土作用部が位置し」、（ｂ）’「上記空間にサイドローラ３７及びバッテリ５が存在する」点で相違し、この相違点により、両者を同一とすることはできない。
（特許法第２９条第２項について）
　本件発明と上記甲第２号証（１）又は甲第２号証（２）記載の発明とを対比すると、側面視で後輪の後方でハンドル及びハンドル支持フレームの下方に空間を形成するの当たり、本件発明が、少なくとも、（ａ）「後輪車軸位置より上方に位置した前記覆土装置の覆土作用部から水平方向後方に前記空間が形成され」たのに対し、甲第２号証（１）及び甲第２号証（２）記載の発明は、このような構成を有しない点で相違する。
　上記相違点を検討するために、甲第３号証及び甲第４号証をみるに、甲第３号証には覆土装置の覆土作用部を後輪車軸位置より後方に設けたものが、甲第４号証には覆土装置の覆土作用部を後輪車軸位置より後方下方に設けたものが記載されているだけであって、本件発明のように覆土装置の覆土作用部を後輪車軸位置より上方に位置させたものは何れにも記載されていないから、甲第３号証及び甲第４号証記載の発明を甲第２号証（１）記載の発明に適用しても本件発明の構成にはなりえない。したがって、本件発明は、上記甲第２号証（１）〜甲第４号証記載の発明に基づいて当業者が容易に発明をすることができたとは認められない。
５．むすび
　以上のとおり、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年１２月１７日（１９９９．１２．１７）
【訂正の要旨】
訂正の要旨
　本件特許第２６９７７９２号発明の明細書を、訂正明細書のとおり次のように訂正する。
　　　　　　　　　　　　　　　　　記
▲１▼【特許請求の範囲】を、特許請求の範囲の減縮を目的として、
「１．左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部が配置されない構成とした
▲２▼〔問題点を解決するための手段〕を、不明りょうな記載の釈明を目的として、
「この発明は、上記問題点を解決するために、左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部材が配置されない構成とした
▲３▼〔発明の作用及び効果〕を、不明りょうな記載の釈明を目的として、
「この発明の歩行型苗移植機は、左右一対の前輪と左右一対の後輪とを備え、後輪より後方にハンドルを配設して、２輪式のものに比べて操縦者がハンドルを所定の高さに正確に保持しなくても苗植付深さが安定するものでありながら、ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側
及び前記後方に斜上するハンドル支持フレームの
、覆土装置の覆土作用部を前記植付立置の後方近傍位置に設け、後輪車軸位置より上方に位置した前記覆土装置の覆土作用部から水平方向後方に前記空間が形成された該空間に機体構成部が配置されない構成とした
機体を後輪車軸回りに回動
く、またハンドルを押し下げすぎて地面に機体後部が接触しそうになってもハンドル支持フレームが下位で苗載台が上位となるから、苗載台が地面に接触するおそれもない。
後輪車軸位置より上方に位置した前記覆土装置の覆土作用部から水平方向に前記空間が形成され該空間に機体構成部材が配置されない構成とし
、しかも、ハンドル押し下げ時の機体回動中心より高い位置から覆土装置の覆土作用部が下降するようにもできるから、
り、また、覆土装置の覆土作用部の水平方向後方には何も無いから、前記のとおり機体後部が地面に接触するおそれがない
　従って、この発明の歩行型苗移植機は、苗植付走行時は、４輪接地状態で苗植付深さが安定し、旋回時は、後輪２輪接地状態で、
苗載台などの
（５４）【発明の名称】
歩行型苗移植機
（５７）【特許請求の範囲】
１．左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部材が配置されない構成とした
【発明の詳細な説明】
〔産業上の利用分野〕
　この発明は、左右一対の前輪と左右一対の後輪とを備え、後輪より後方にハンドルを配設した歩行型苗移植機に関する。
〔従来の技術〕
　従来、実開昭５９−１７０４１６号公撮に示されるように、左右一対の前輪と左右一対の後輪とを備え、後輪より後方にハンドルを配設した歩行型苗移植機があった。
　なお、このものは、苗載台が、側面視で、後輪側から後方に向けて斜上するハンドル支持フレーム及びハンドルの下方に配置された構成であった。
〔発明が解決しようとする問題〕
　上記のような歩行型苗移植機は、前輪と後輪とを備えたものであるから、２輪式のものに比べて操縦者がハンドルを所定の高さに正確に保持しなくても苗植付深さが安定する利点がある。しかし、圃場端で旋回する場合には、４輪構成であるため、小回りに旋回しにくい問題がある。
　そこで、例えば、旋回時にハンドルを押し下げて前輪を浮上させ、後輪２輪のみが接地する状態で旋回すると小回りに旋回が可能となる。ところが、上記従来機においては、苗載台がハンドル支持フレーム及びハンドルの下方に配置されているため、ハンドルを押し下げると苗載台部が地面に接触するおそれがあり、ハンドルを押し下げて後輪２輪での小回り旋回が行いにくい問題があった。
　また、ハンドルを押し下げて後輪２輪での小回り旋回が行うとき、苗植付位置の後方に配設することにより機体後部下方側に設けられることの多い覆土装置の覆土作用部も地面に接触しやすくなる問題もある。
〔問題点を解決するための手段〕
　この発明は、上記問題点を解決するために、左右一対の前輪と左右一対の後輪とを備え、後輪より後方にハンドルを配設した歩行型苗移植機において、前記ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、後輪車軸位置より上方に位置した前記覆土装置の覆土作用部から水平方向後方に前記空間が形成され該空間に機体構成部材が配置されない構成とした
〔発明の作用及び効果〕
　この発明の歩行型苗移植機は、左右一対の前輪と左右一対の後輪とを備え、後輪より後方にハンドルを配設して、２輪式のものに比べて操縦者がハンドルを所定の高さに正確に保持しなくても苗植付深さが安定するものでありながら、ハンドルを側面視で後輪側から後方に斜上するハンドル支持フレームの上端に取り付け、苗植付位置を左右後輪間に位置するよう設け、苗載台を側面視で後輪車軸位置とハンドル把持部を結ぶ後方に斜上する線の前側に
且つ前記後方に斜上するハンドル支持フレームの前側に
及び前記後方に斜上するハンドル支持フレームの
、覆土装置の覆土作用部を前記植付位置の後方近傍位置に設け、後輪車軸位置より上方に位置した前記覆土装置の覆土作用部から水平方向後方に前記空間が形成され該空間に機体構成部材が配置されない構成とした
機体を後輪車軸回りに回動
く、また、ハンドルを押し下げすぎて地面に機体後部が接触しそうになってもハンドル支持フレームが下位で苗載台が上位となるから、苗載台が地面に接触するおそれもない
、後輪車軸位置より上方に位置した前記覆土装置の覆土作用部から水平方向後方に前記空間が形成され該空間に機体構成部材が配置されない構成とし
、しかも、ハンドル押し下げ時の機体回動中心より高い位置から覆土装置の覆土作用部が下降するようにもできるから、
り、また、覆土装置の覆土作用部の水平方向後方には何も無いから、前記のとおり機体後部が地面に接触するおそれがない
　従って、この発明の歩行型苗移植機は、苗植付走行時は、４輪接地状態で苗植付深さが安定し、旋回時は、後輪２輪接地状態で、
苗載台などの
〔実施例〕
　以下、図面にあらわされた実施例について説明する。
　この野菜移植機１は、機体の前端部に設けたエンジン２の後部に走行部ミッションケース３を配し、該ミッションケースの左右側部に突設した回動筒部５，５の先端部に前輪伝動ケース６，６を後方斜めに下向きに設け、この前輪伝動ケースの下端部に推進車輪である前輪７，７を軸支している。左右の前輪７，７は後述する昇降機構によって互いに連係させて昇降が可能となっている。　ミッションケース３の後部片側（図示例では左側）には内部に伝動軸を有する前部伝動フレーム１０が後方に延出させて固着連結されており、その後端部に移植部ミッションケース１１が設けられている。移植部ミッションケース１１からは後述する移植装置１３に伝動する伝動軸を内部に有する後部伝動フレーム１４が後方に延出され、さらに該伝動フレーム１４の後端部にはハンドル支持フレーム１５が後向きに突設されている。このハンドル支持フレーム１５とこれに固着した固定板１６に操縦ハンドル１７、各種操作レバー等が取り付けられている。一方、前部伝動フレーム１０と反対側（図示例では右側）にはこれに対向させてサイドフレーム２０が設けられている。両フレーム１０，２０は右端部が外方に突出する横フレーム２１によって連結されている。横フレーム２１には平面視コ字形のブラケット２２が固着されており、このブラケット２２と前記固定板１６との間に補強フレーム２３が設けられている。これら走行部および移植部のミッションケース３，１１と各フレーム１０，１４，１５，２０，２１，２３とでこの野菜移植機１の機体フレームを構成している。
　横フレーム２１の後方下位位置には、前記ブラケット２２と移植部ミッションケース１１に固着したブラケット２５によって後輪支持軸２６が横架されている。そして、この支持軸２６の両端部に後輪支持アーム２７，２７が回動自在に取り付けられ、該アームの下端部に左右の後輪２８，２８が軸支されている。後輪２８，２８も前輪７，７に連係して昇降するようになっている。また、後輪支持軸２６には後述の土掘り装置３０と覆土装置３１が取り付けられている。
　また、第１図に明らかなように、この野菜移植機１は、左右一対の前輪７，７と左右一対の後輪２８，２８とを備え、後輪２８，２８より後方にハンドル１７を配設した構成であって、ハンドル１７を側面視で後輪２８，２８の側から後方に向けて斜上するフレーム１５の上端に取り付け、苗植付位置を側面視で後輪２８，２８の近くに位置するよりに設け、苗載台３５を側面視で後輪２８，２８の車軸位置とハンドル１７の把持部を結ぶ後方に斜上する線の前側に位置するよう設け、側面視で後輪２８，２８の後方でハンドル１７の下方に空間を形成した構成となっている。また、覆土装置３１の覆土作用部（覆上板１３４）を側面視で後輪２８，２８とハンドル１７把持部との前後問にあって後輪２８，２８の側に近い位置に設けた構成となっている。
　機体の上部には、移動枠３３と受枠３４とからなる苗載台３５が前部が上位となるより若干傾斜させて設けられている。苗載台３５の大部分を占める移動枠３３は、左右の側板３６ａ，３６ａと前後の底板３６ｂ，３６ｃとで枠組３６を構成し、前後の底板間に形成される底部開口部に前後一対のロール３８ａ，３８ｂに張設された苗移送ベルト３８を前後の底板と同一高さに設けてなる。移植用苗３００としては、第２１図に示すようなポット３０１ａ，…を縦横に並設した紙製の育苗器３０１で育成されたポット状のものが使用され、後側の底板３６ｂは背面視がポットの幅に相当する周期の波形に成形されている。この移動枠３３は前後のレール３９，４０によって左右方向に滑動自在に支持されている。受枠３４は、上記後側レール４０と一体に形成され、底板３６ｃの後部に隣接させて該底板と同一面上に設けられており、左右中央部に苗取出口４１が形成されている。該苗取出口にはポットの底面を受ける状態と受けない状態に開閉する開閉体４２が設けられている。
　苗載台３５の後部には、受枠３４上まで移送されてきた苗を落下しないように受け止めるためのポットホルダ４３が設けられている。ポットホルダ４３は、鉤形の側板部４４ａ，４４ａの後端部同士を横板部４４ｂで連結したブラケット４４を移動伜の側板３６ａ，３６ａの後端部上部にピン４５，４５で回動自在に設け、横板部４４ｂの前面部にピアノ線等で形成されるポット受杆４７，…がポット幅の間隔で下向きに垂下させて取り付けられている。各ポット受杆４７は下部が若干前向きに屈曲成形されているため、上部が後方に張り出してその分だけ上部のふところが深くなっている。そして、横板部４４ｂから上方前向きに突出する突起４８，４８に穿設されている前後の長穴４９，４９に、毛状体を植設したブラシ５０がボルト５２，５２によって取り付けられている。ブラシ５０は苗の葉を柔く受けとめて、葉がポットホルダの後方にはみ出さないようにするもので、後記移植爪７５，７５による葉の損傷を防止する。前述の如くポット受杆４７，…は上部が後方に張り出しているので、ポット受杆４７，…と上部とブラシ５０との間には空間が形成されている。ポット受杆４７，…とブラシ５０との間隔は、長穴４９，４９へのボルト５２，５２の取付け位置を変えることによって任意に調節できる。さらに、移動枠の側板３６ａの外面に突設された凸部５４に係合する凹部５５を有し連結棒５６によって上端部同士が連結されたフック５７，５７が、ブラケットの側板部４４ａ，４４ａに回動自在に取り付けられている。ブラケット４４とフック５７との間にはスプリング５８が介装されており、前記凸部５４と凹部５５とが係合する方向にフック５７が付勢されているため、ポットホルダ４３はポット受杆およびブラシが移動枠３３の後端面を閉止する状態になっている。
　苗載台３５の横移動装置６０として、作業部ミッションケース１１に固着連結された苗載台伝動ケース６２の先端部と横フレーム２１の突出端部に設けた軸受部材６３との間に、外岡部に右回りおよび左回りの螺旋状リード溝６５，６５′が形成されたリードカム軸６６が軸支されているとともに、上記リード溝に係合するリード爪をそなえたリードメタル６７が苗載台の移動枠３３に固着されており、リードカム軸６６が回転することにより、これに摺動自在に嵌合しているリードメタル６７を介して移動枠３３が左右方向に往復移動させられ、受枠３４上の最後列の苗を順次苗取口４１に供給するようになっている。また、移動枠３３が左右行程の端部まで移動すると、駆動ロール３８ａの軸の端部に固着したラチェットレバー６８が後記カム取付軸１２２に取り付けられた苗送りカム６９によって所定方向に回動させられ、苗移送ベルト３８が作動して苗を１列分だけ後方に移送するようになっている。
　最後列の苗３００は、ポット部３００ａがポット受杆４７の下端部に支持されるとともに、葉部３００ｂがブラシ５０によって弾力的に受け止められる。ポット受杆４７の上部が後方に張り出しているため、葉が大きく生育している苗の場合も葉部がポット受杆によって前方に無理に押圧されることがない。また、ブラシ５０が前後に取付位置調節可能に設けられているので、野菜の種類に応じてポット受杆とブラシとの間隔Ｌを調整することができる。例えば、キャベツのように葉が上に延びる苗の場合は、第１０図ａに示すように間隔Ｌ１を広くし、白菜のように葉が横に拡がる苗の場合は、第１０図ｂに示すように間隔Ｌ２を狭くすればよい。ただし、Ｌ１＞Ｌ２。このように、ポット受杆とブラシの間隔Ｌを調整することにより、葉に適度の抵抗がかかるように設定でき、最後列の苗の葉とその前列の苗の葉との絡み付きを防止できる。
　また、第１０図ｃにおいて鎖線で示すようにフック５７，５７の上部を前方に倒して凸部５４と凹部５５との係合を解除することにより、同図において実線で示すようにポットホルダ４３を上方に跳ね上げて苗載台３５の後端面を開放することができるので、破損したポットや不良苗等の除去を簡単に行なえる。
　移植装置１３は、各々複数の軸、ギヤ等を内蔵する第１回転ケース７１、第２回転ケース７２および移植ケース７３をそなえ、移植ケース７３に一対の移植爪７５，７５と苗押出体７６が設けられている。第１１図乃至第１３図は内部の構造を示す断面図で、これに基づいて具体的に説明する。
　第１回転ケース７１は後部伝動フレーム１４に回動自在に支持された回転筒８１に一体で後部伝動ケース１４に対し回転自在であり、また第２回転ケース７２は第１回転ケース７１に回動自在に支持された回転筒８２に一体で第１回転ケース７１に対し回転自在である。後部伝動ケース１４の後端部には一端部を第１回転ケース７１内に嵌人させた固定軸８３が設けられ、回転筒８１に固着されたスプロケット８４がこの軸周りに回転自在に嵌合しているとともに、第１回転ケース７１内でギヤ８５がこの軸に嵌着されている。スプロケット８４には後部伝動ケース１４内のチェン８７が張架されており、このチェンを介して伝えられる動力によって第１回転ケース７１が所定方向に回転させられる。また、ギヤ８５はカウンタギヤ８８を介して回転筒８２のギヤ８９に嵌合連結されており、これらギヤ列の作用によって第１回転ケース７１が回転すると第２回転ケース７２がこれの２倍のスピードで逆方向に回転するようになっている。第１回転ケース７１にも一端部を第２回転ケース７２内に嵌入させた固定軸９１が設けられ、この固定軸９１に嵌着されているギヤ９２はカウンタギヤ９３を介して、第２回転ケース７２の先端部に支承され片側を該ケース外に突出させた移植ケース取付軸９５のギヤ９６に噛合連結されている。この移植ケース取付軸９５は第２回転ケース７２に対しては相対的に回転するが、機体に対しては相対的に回転しないように各ギヤ比が設定されている。
　移植ケース７３はケース内に挿入された前記移植ケース取付軸９５に一体に取り付けられている。そして、第２回転ケース７２に固着され取付軸９５を外包する筒軸１００に、開閉カム１０１と押出カム１０２とが並設されている。移植ケース７３の内部には、筒軸１００に直交させて開閉軸１０４と押出軸１０５が設けられており、開閉軸１０４は開閉カム１０１に押圧付勢されるカムフォロア１０６が取り付けられ、押出軸１０５には押出カム１０２に抑圧付勢されるカムフォロア１０７が取り付けられている。
　前記一対の移植爪は固定爪と可動爪であって、固定爪７５Ａは移植ケース７３の側面部に固着され、可動爪７５Ｂは開閉軸１０４の下端突出部に取り付けられている。両移植爪はともに下向きに延び、下端部がへら状の挟持部７５ａとなっている。また、前記押出体７６は、押出軸１０５の下端突出部に取り付けられ、固定移植爪７５Ａの内面に摺接されている。
　つぎに、移植装置１３の動作について説明すると、第１回転ケース７１は前輪７，７の回転速度に対応する所定の速度で第１図における反時計周り方向に回転するとともに、第２回転ケース７２はこれとは逆周り（時計周り方向）に２倍の速度で回転し、移植ケース７３は上下に細長い楕円軌道を描いて上下運動を行なう。機体に対し移植ケース取付軸９５が相対的に回転しないように設定されているので、移植ケース７３およびこれに取り付けられている移植爪７５，７５と苗押出体７６は終始同じ姿勢を保持する。第１図におけるＰは移植爪の先端部の軌跡をあらわし、Ａ点すなわち苗取出口４１の位置で苗押出仏７６が苗３００のポット部上面と係止するとともに可動爪７５Ｂが閉じ、苗取出口４１に位置する苗を１個のポット苗として分割しそれを一対の移植爪が保持する。この動作に合わせて苗取出口の開閉体４２が開くようになっている。Ｂ点すなわち軌跡の最下部で可動爪７５Ｂが開き、保持しているポット苗を圃場に植え付けてゆく。また、移植爪がＢ点よりも少し上昇したＣ点で苗押出体７６が下動動作を開始し、移植爪７５Ａ，Ｂに付着したまま持ち上げられた苗を強制的に移植爪から分離するので、苗の移植が確実に行なわれる。
　土堀り装置３０は、後輪支持軸２６に固着した正面視門形の枠体１１０に上下リンク１１１，１１２を回動自在枢着し、該上下リンクの後方先端部に枢結した取付板１１４に、逆Ｕ字形で一対の下端部が鋭利に形成された針状体１１５と、左右両端部が若干後向きに屈曲する進行方向と直角な方向を向いた板状体１１６が設けられている。板状体１１６は針状体１１５の後面に、下端が該針状体の下端よりも上位に位置するよう固着されている。下リンクの枢支軸１１２ａには下リンクを上向きに付勢するスプリング１１８が嵌装されている。この土掘り装置３０の駆動機構として、上リンク１１１に設けた軸１１９にベアリングでできたカムフォロア１２０が嵌着され、このカムフォロア１２０に対向させカム取付軸１２２に扇形のカム１２３が設けられている。なお、カム取付軸１２２は移植部ミッションケース１１から突出し、その先端部がブラケット２２の後方に設けた軸受部材１２４に支承されている。
　カム取付軸１２２が馳動回転されることによりカム１２３が回転し、該カムがカムフォロア１２０に係合すると上リンク１１１が押し下げられ針状体１１５および板状体１１６が下動し、係合が解除されるとスプリング１１８の作用で上動するようになっている。なお、カム１２３には針状体１１５および板状体１１６を最下部で一時停止するよう作動させるカム面１２３ａが形成されているため、機体の進行によって針状体１１５および板状体１１６が土壌中に潜った状態のまま移動し、圃場に移植用穴が形成されるのである。この際、針状体１１５によって掻き起こされた後の土を板状体１１６が破砕してゆくので、移植穴周囲の土が充分に細分化される。また、マルチフィルム３０３被覆されている場合は、針状体１１５がこれを突き破って引き裂いてゆくことにより、フイルムに穴３０３ａが形成される。このフィルム穴の周囲には、板状体１１６によって前方に押しやられた上が載せ掛けられる。したがって、フィルムの端部が移植後の苗に接触することがたく、苗の生育の妨げとならない。
　覆土装置３１は、前記下リンク枢支軸１１２ａの両端部にユニバーサルジョイント１３０，１３０を介して支持杆１３１，１３１が連結され、該支持杆は外方下向きに突出したのち後向きに屈曲し、その後端部に左右一対の覆土具１３２，１３２が畝３０５の両側に支持されている。覆土具１３２は支持板１３３の後端裏面に合成樹脂等の可撓性材料でできた覆土板１３４が一体に取り付けられている。支持杆１３１と覆土具１３２との取付部について説明すると、支持杆１３１と覆土具１３２との取付部について説明すると、支持杆１３１の後端部に２組の取付孔１３５ａ，１３５ａ′を有する取付枠１３５が固着されており、支持板１３３速の長短２本の摺動軸１３６，１３６′が上記取付穴にそれぞれ摺動自在に貫通させて設けられ、かつ長い方の摺動軸１３６には先端部に設けた係止板１３７と取付枠１３５との間に比較的弾性力の弱い押圧スプリング１３８が装着されている。このため覆土具１３２は前後方向に移動可能で、前向きに付勢された状態となっている。支持杆１３１，１３１を駆動する駆動機構は、前記カム取付軸１２２に取り付けられたカム１４０と、枢支軸１１２ａと一体のアーム１４１に取り付けられたベアリングでできたカムフォロア１４２とで構成されている。
　カム１４０が回転することによりカムフォロア１４２が周期的に押し下げられ、これにともなう枢支軸１１２ａの回動がユニバーサルジョイント１３０，１３０を介して支持杆１３１，１３１に伝えられる。枢支軸１１２ａに対し支持杆の基部１３１ａ，１３１ａが斜めになっているため、支持杆が駆動されると左右の覆土板１３４，１３４は移植された苗の左右両側の土壌を上方から斜め内向きに押し付ける。覆土板によって押された土が苗のポット部３００ａの傾斜側面を両側から押圧するので、該土部が所定位置に所定姿勢で確実に保持される。また、左右一対の覆土板が苗周囲の上を挾み付けるように押圧することにより上が上方に盛り上がり、ポット部３００ａの上部にも充分な土回りが行なわれる。
　以上説明してきた苗載台の横移動措置（苗送り装置）６０、土掘り装置３０および覆土装置３１を駆動させる各カム６９，６９，１２３，１４０はそれぞれ共通のカム取付軸１２２に取り付けられているため、軸や伝動用部材の数が少なく構成が簡単であるとともに、これらの装置を移植装置１３に同期して作動させるのに都合がよい。またこの実施例では、カム取付軸１２２が移植部ミッションケース１１の主軸の延長軸であるので、カム取付軸を駆動するための機構が不要となっている。
　接地輪である前輪および後輪の昇降機構は油圧式であって、走行部ミッションケース３の後部に油圧ホンプ１５０が一体的に設けられ、前部伝動フレーム１０とサイドフレーム２０との間に架設した支持台１５１上に油圧シリンダ１５２と油圧バルブ１５３が設けられている、油圧シリンダのヒストン１５２ａは後方に突出され、その後端部に設けた摺動体１５５に天秤杆１５６が水平面内で回動自在に枢着されている。摺動体１５５はピストン１５２ａの軸方向に摺動自在で、該ピストンの周囲に嵌装したスプリング１５７によって後向きに付勢されている。また、天秤杆１５６は上板１５６ａと下板１５６ｂとで構成されており、その中間部に形成される空間１６０の中央部に摺動体１５５が挿入され、摺動体の上下のピン１６１，１６１が上板と下板のボス１６２，１６２に回動自在に嵌合することにより、摺動体１５５と天秤杆１５６とが結合している。図中の１６３は摺動体１５５の抜落ち防止用ストッパで、ピストン１５２ａの光端部に嵌着されている。そして、天秤杆１５６の左右両端部は、前輪連結杆１６５，１６５によって回動筒部５，５の上面に突設したアーム１６６，１６６に連結されているとともに、後輪連結杆１６７，１６７によって後輪支持軸２６の上而に突設したアーム１６８，１６８に連結されている。
　昇降機構の駆動用油圧シリンダ１５２は次の植付深さ制御装置１７０によって制御される。植付深さ制御装置１７０は、前記ブラケット２２，２５に横設した回動軸１７１から前方に突破した支持板１７２に接地体１７３が軸支（軸１７５）され、該接地体と一体のアーム１７６の先端部と油圧バルブのスプール１５３ａとが連結ロッド１７７によって連結されている。接地体１７３は、基部から後方に延出された中板部１７３ａと該中板部の両側部に設けられた側板部１７３ｂ，１７３ｂとからなり、畝３０５の頂部を囲う形状になっている。また、中板部１７３ａの後部中央には、前記移植爪７５，７５と針状体１１５、板状体１１６が捕入される切欠き１７３ｃが形成されている。
　作業時には、中板部１７３ａが畝３０５の上面に、また側板部１７３ｂ，１７３ｂが畝３０５の上部斜面にそれぞれ摺接し、畝の頂歩を整地整形しながら進行するとともに、畝の高低変化に応じた上下動が連結ロッド１７７を介して油圧バルブのスプール１５３ａに伝えられる。すなわち、接地体１７３は、畝の頂部を整地整形する整地具としての役割と、畝の高さを検出するセンサとしての役割を有する。畝が高くなって接地体１７３の後部が上動すると、アーム１７６とロッド１７７を介してスプール１５３ａが押し込まれ、油圧シリンダ１５２を伸張させる方向に油圧バルブ１５３が切り替えられる。油圧シリンダが伸張して天秤杆１５６が後方に移動することにより、それに取り付けられている前輪連結杆１５５，１５５、後輪連結杆１５７，１５７を介してアーム１５６，１５６，１５８，１５８が回動させられ、前輪７，７および後輪２８，２８が同時に下動し、機体が持ち上げられる。逆に、畝が低くなって接地体１７３の後部が下動すると、機体が下ろされる。このように、植付深さ制御装置１７０の作用によって畝の高さ変化に応じて機体を適宜昇降させることにより、常に一定条件かつ一定植付深さで植付作業が行なわれる。
　植付深さの調節は植付深さ調節レバー１７８で接地体の基準高さを調節することによって行なう。第１８図において実線で示すようにレバー１７８を下げた状態では、基準高さＨ１が低く植付深さが浅い。また鎖線で示すようにレバー１７８を上げた状態では、基準高さＨ２が高く植付深さが深い。
　レバー１７８で植付深さを調節すると、接地体１７３の仰角が変化するため植付深さ制御用の感度が変化する。すなわち、浅植えを行なうためにレバー１７８を下げると、接地体１７３の仰角が大きくなって感度が敏感になる。逆に、深植えを行なうためにレバー１７８を持ち上げると、接地体１７３の仰角が小さくなるため感度が鈍感となる。
　なお、前記ロッド１７７のバルブ側鉤状端部１７７ａは、ハンドル支持フレーム１５に設けた上げレバー１８０にワイヤ１８１によって接続されている制御切替片１８２の長穴１８３に挿入されている。上げレバー１８０が自動制御位置Ｄ１のときは、長穴１８３の中央部に端部１７７ａが位置しているため、スプール１５３ａが自由に出入りでき、前記昇降制御が自動的に行なわれる。上げレバー１８０をリフト位置Ｄ２にすると、長穴の端部壁面１８３ａがロッド端部１７７ａを引っ張り、スプール１５３ａを強制的に押し込むため、機体がリフト位置まで上昇する。
　また、天秤杆の空間１６０は水平制御装置１９０のカム機構部を収納するための空間であって、摺動体１５５には平面視楕円形の穴１９１が形成されたカム受部１９２が側方に張り出して設けられており、このカム受部の楕円穴１９１に偏心軸１９３が固着された円形のカム１９４が嵌合している。上記偏心軸１９３の上部には互いに逆方向に突出するアーム１９６，１９６が形成されたアーム部材１９７がキー１９８によって嵌着され、該アーム１９６，１９６の光端部に前記固定板１６に設けた操作レバー２００に接続されているワイヤ２０１が取り付けられている。なお、ワイヤアウタ２０２，２０２のアーム側端部は天秤杆１５６の上板１５６ａに設けられたアウタ受板２０３に固定支持されている。
　操作レバー２００の装着部について説明すると、外周面にワイヤ溝２０５が形成された円板２０６が軸２０７によって前記固定板１６に回動自在に取り付けられており、該円板に枢支ピン２０９にて枢支された筒体２１０に操作レバー２００の基部が固着され、前記ワイヤ溝２０５にワイヤ２０１が巻き掛けて固定されている。なお、ワイヤアウタ２０２，２０２の円板側端部は固定板１６に固着されたアウタ受板２０３′に固定支持されている。そして、操作レバー２００の基部付近の側面部に固着させた係止板２１２が、固定板の立縁部１６ａに形成された複数の係上溝２１３，…の何れかに係合できるようになっている。２１４は操作レバー２００を係上溝２１３，…の方向に付勢するばねである。
　係止板２１２を係止溝２１３から外し操作レバー２００を矢印方向に回動操作することにより、円板２０６に巻き掛けられているワイヤ２０１が移動し、アーム部材１９７が回動する。すると、カム１９４が偏心回動させられ、天秤杆１５６が強制的に揺動させられる。平面視において天秤杆を左回りに揺動させると、左側の前輪および後輪が上動し、かつ右側の前輪および後輪が下動するため、機体は左下りに傾斜する。逆に天秤杆を右回りに揺動させると、機体は右下りに傾斜する。
【図面の簡単な説明】
　第１図は本発明を旋した野菜移植機の全体側面図、第２図はその平面図、第３図はその一部を取り外した状態の平面図、第４図はその正面図である。第５図は要部の側面図、第６図はその平面図、第７図はその背面図である。第８図は苗載台後部の斜視図、第９図はその平面図、第１０図ａ，ｂ，ｃはそのそれぞれ異なる各状態を示す側面図である。第１１図は移植装置の全体断面図、第１２図および第１３図は移植ケースの断面図である。第１４図は土掘り装置の説明図、第１５図はそのＸ矢視図である。第１６図と第１７図は天秤杆の平面図と背面図、第１８図は植付深さ制御の説明図、第１９図および第２０図は水平制御用操作レバー装着部の説明図である。また、第２１図は育苗器の説明図である。
　図中の符号
　１……野菜移植機
　７……前輪
　１５……ハンドル支持フレーム
　１７……ハンドル
　２８……後輪
　３１……覆土装置
　３５……苗載台
　１３４……覆土板（覆土作用部）